(57)【要約】【課題】電子部品をムラなく冷却することができるとともに、水の浸入を防ぐことができる室外機用電装箱および室外機ユニットおよび空気調和機を提供する。【解決手段】空気調和機の室外機ユニット内部に設けられ、筐体内に室外機ユニットの運転を制御する電子部品が収納される室外機用電装箱であって、筐体の側壁部に電子部品の冷却用の空気の吸入口５４を設けるとともに、吸入口５４に対向する筐体の側壁部に電子部品の冷却用の空気の排出口５５を設けたことを特徴とする。【選択図】  図３
2004301477.tif 000002
【特許請求の範囲】
【請求項１】
空気調和機の室外機ユニット内部に設けられ、筐体内に室外機ユニットの運転を制御する電子部品が収納される室外機用電装箱であって、
前記筐体の側壁部に前記電子部品の冷却用の空気の吸入口を設けるとともに、
前記吸入口に対向する前記筐体の側壁部に前記電子部品の冷却用の空気の排出口を設けたことを特徴とする室外機用電装箱。
【請求項２】
請求項１記載の室外機用電装箱において、
前記排出口の横方向寸法が、該排出口の設けられた側壁部の横方向寸法と略一致するように形成されていることを特徴とする室外機用電装箱。
【請求項３】
請求項１または２に記載の室外機用電装箱において、
前記排出口の外側に、該排出口に対向する面に位置して、該導出口から導入される空気を下方に導く誘導壁部を設け、
該誘導壁部の下端には、下方に誘導された空気を前記下部筐体の下方を回り込ませ側方へ誘導するツバ部が設けられていることを特徴とする室外機用電装箱。
【請求項４】
請求項３記載の室外機用電装箱において、
前記筐体は、上部筐体と、この上部筐体の下側に取付けられる下部筐体とを備えてなり、
前記上部筐体の下側に、この上部筐体に沿って中間筐体が配置されるとともに、この中間筐体の下面側に、前記排出口に対向して下方に延在するように前記誘導壁部が備えられるとともに、この下端部にツバ部が設けられ、
前記中間筐体と前記下部筐体との組み立て時において、
前記中間筐体筐体の前記誘導壁部と反対側の端部に、上方に向かって前記誘導壁部に近づく方向に傾斜した、前記下部筐体を案内する傾斜面を設けたことを特徴とする室外機用電装箱。
【請求項５】
屋外の空気と冷媒との間で熱交換を行う室外熱交換器と、該室外熱交換器に屋外の空気を送風する室外ファンと、該室外熱交換器または屋内の空気と冷媒との間で熱交換を行う室内熱交換器に高温高圧の冷媒を送出する圧縮機と、前記室外熱交換器および前記圧縮機の動作制御を行う電子部品と、該電子部品を収納する室外機用電装箱と、からなる室外機ユニットであって、
前記室外機用電装箱が、請求項１から４のいずれかに記載の室外機用電装箱であり、
前記室外ファンが前記室外機用電装箱の対向壁部側の斜め下方に配置されるとともに、前記室外ファンの上方に位置する羽根が前記室外機用電装箱側へ回るように回転駆動されることを特徴とする室外機ユニット。
【請求項６】
屋外の空気と冷媒との間で熱交換を行う室外熱交換器と、該室外熱交換器に屋外の空気を送風する室外ファンと、該室外熱交換器または屋内の空気と冷媒との間で熱交換を行う室内熱交換器に高温高圧の冷媒を送出する圧縮機と、前記室外熱交換器および前記圧縮機の動作制御を行う電子部品と、該電子部品を収納する室外機用電装箱とを備えた室外機ユニットと、
前記室内熱交換器と、屋内の空気を循環させる室内ファンと、
からなる空気調和機であって、
前記室外機ユニットが、請求項５記載の室外機ユニットであることを特徴とする空気調和機。
【発明の詳細な説明】
【０００１】
【発明の属する技術分野】
本発明は、室外機用電装箱および室外機ユニットおよび空気調和機に関し、特に、室外機用電装箱内の冷却および防水技術に関する。
【０００２】
【従来の技術】
従来の空気調和機の室外機には、商用交流電源をコンバータ部で一旦直流に整流し、再度インバータ部で可変電圧、可変電流の交流に変換して誘導電動機や直流ブラシレスモータなどによる圧縮機モータの駆動を制御するインバータ制御回路装置が設けられている。
このインバータ制御回路装置は、ノイズフィルタ、ダイオードスタック、各種のコンデンサ等の電子部品から構成され、これら電子部品は基板に実装され、電子部品が実装された基板は室外機内の電装箱に収納されている。
【０００３】
インバータ制御回路に電流が流されると、各電子部品から熱が放出され電装箱内は高温となり、さまざまな不具合を起こす恐れがあった。そのため、室外機外部の空気を電装箱内に導入する吸入口および室外機用電装箱外へ排出する排出口を設け、室外ファンによる吸引効果を用いて室外機外部の空気を電装箱内に導入し、各電子部品を冷却する方法が提案されている（例えば、特許文献１参照。）。
【０００４】
【特許文献１】
特開平１０−２０５８３０号公報  （第５頁、第１図）
【０００５】
【発明が解決しようとする課題】
ところで、上記の室外機用電装箱においては、電装箱内に流入した空気は、吸気口に隣接した側壁と底面とにわたって設けられた連通開口を通って排気孔から流出しているので、空気の流路が電装箱内で蛇行していた。そのため、空気の流れがよどむ領域が発生し、よどんだ領域では、電子部品が十分に冷却されていなかった。つまり、電子部品の冷却効果にムラがあるという問題があった。
【０００６】
また、室外ファンに付いた水滴などの水分が、室外ファンが回転すると遠心力により半径方向外側へ飛び散り、上記コ室外機用電装箱の排気孔に飛び込み、室外機用電装箱内が濡れて錆びたり電子部品が短絡したりする不具合を起こす可能性があるという問題があった。
【０００７】
この発明は、このような事情を考慮してなされたもので、その目的は、電子部品をムラなく冷却することができるとともに、水の浸入を防ぐことができる室外機用電装箱および室外機ユニットおよび空気調和機を提供することにある。
【０００８】
【課題を解決するための手段】
本発明の室外機用電装箱および室外機ユニットおよび空気調和機では、上記課題を解決するため、以下の手段を採用した。
請求項１にかかる発明は、空気調和機の室外機ユニット内部に設けられ、筐体内に室外機ユニットの運転を制御する電子部品が収納される室外機用電装箱であって、前記筐体の側壁部に前記電子部品の冷却用の空気の吸入口を設けるとともに、前記吸入口に対向する前記筐体の側壁部に前記電子部品の冷却用の空気の排出口を設けたことを特徴とする。
【０００９】
この発明にかかる室外機用電装箱によれば、電子部品の冷却用の空気の吸入口に対向した側壁部に上記空気の排出口を設けているので、吸入口から室外機用電装箱内に流入した空気は、室外機用電装箱内を一様に流れ、電子部品からムラなく熱を奪い排出口から流出する。
【００１０】
請求項１記載の室外機用電装箱において、前記排出口が、該排出口の設けられた壁部の幅方向に全体にわたって形成されていることを特徴とする。
【００１１】
この発明にかかる室外機用電装箱によれば、上記排出口が、排出口の設けられた側壁部の幅方向全体にわたって形成されているので、室外機用電装箱内の幅方向における空気の流れは、排出口まで一様な状態が保たれている。そのため、吸入口から室外機用電装箱内に流入した空気が、室外機用電装箱内を一様に流れる領域が広がり、電子部品からよりムラなく熱を奪い排出口から流出する。
【００１２】
請求項３にかかる発明は、請求項１または２に記載の室外機用電装箱において、前記排出口の外側に、該排出口に対向する面に位置して該排出口から導入される空気を下方に導く誘導壁部を設け、該誘導壁部の下端には、下方に誘導された空気を前記下部筐体の下方を回り込ませ吸入口方向へ誘導するツバ部が設けられていることを特徴とする。
【００１３】
この発明にかかる室外機用電装箱によれば、排出口の外側に、排出口に対向する面に誘導壁部が設けられるとともに、誘導壁部の下端にはツバ部が設けられている。そのため、水滴等が室外機用電装箱の外側から内側へ浸入するには、外部からツバ部と下部筐体との間を吸入口から排出口方向へ浸入し、誘導壁部と下部筐体との間を上方へ浸入して、排出口から内部へ侵入しなければならず、浸入しにくくなる。それと同時に冷却用の空気の流れは逆方向になるので、水滴等は押し戻されさらに浸入しにくくなる。
【００１４】
請求項４にかかる発明は、請求項３記載の室外機用電装箱において、前記筐体は、上部筐体と、この上部筐体の下側に取付けられる下部筐体とを備えてなり、前記上部筐体の下側に、この上部筐体に沿って中間筐体が配置されるとともに、この中間筐体の下面側に、前記排出口に対向して下方に延在するように前記誘導壁部が備えられるとともに、この下端部にツバ部が設けられ、前記中間筐体と前記下部筐体との組み立て時において、前記中間筐体筐体の前記誘導壁部と反対側の端部に、上方に向かって前記誘導壁部に近づく方向に傾斜した、前記下部筐体を案内する傾斜面を設けたことを特徴とする。
【００１５】
この発明にかかる室外機用電装箱によれば、傾斜面が設けられているので、下部筐体と中間筐体とを係合させやすくなる。つまり係合させる時に、まず、中間筐体の誘導壁部下端にはツバ部が設けられているので、下部筐体をガイド部側の斜め下方から近づける。下部筐体の下端がツバ部の上方まできたら、吸入口の設けられた壁部の上端を傾斜面に当接させながら、下部筐体と中間筐体とを近づける。下部筐体は、傾斜面により誘導壁部側へ押圧され、下部筐体と中間筐体とが正しい係合位置関係に誘導される。
【００１６】
請求項５にかかる発明は、屋外の空気と冷媒との間で熱交換を行う室外熱交換器と、該室外熱交換器に屋外の空気を送風する室外ファンと、該室外熱交換器または屋内の空気と冷媒との間で熱交換を行う室内熱交換器に高温高圧の冷媒を送出する圧縮機と、前記室外熱交換器および前記圧縮機の動作制御を行う電子部品と、該電子部品を収納する室外機用電装箱と、からなる室外機ユニットであって、前記室外機用電装箱が、請求項１から４のいずれかに記載の室外機用電装箱であり、前記室外ファンが前記室外機用電装箱の対向壁部側の斜め下方に配置されるとともに、前記室外ファンの上方に位置する羽根が前記室外機用電装箱側へ回るように回転駆動されることを特徴とする。
【００１７】
請求項６にかかる発明は、屋外の空気と冷媒との間で熱交換を行う室外熱交換器と、該室外熱交換器に屋外の空気を送風する室外ファンと、該室外熱交換器または屋内の空気と冷媒との間で熱交換を行う室内熱交換器に高温高圧の冷媒を送出する圧縮機と、前記室外熱交換器および前記圧縮機の動作制御を行う電子部品と、該電子部品を収納する室外機用電装箱とを備えた室外機ユニットと、前記室内熱交換器と、屋内の空気を循環させる室内ファンと、からなる空気調和機であって、前記室外機ユニットが、請求項５記載の室外機ユニットであることを特徴とする。
【００１８】
この発明にかかる室外機ユニットまたは空気調和機によれば、室外機用電装箱の吸入口が室外機ユニットの外部と連通し、誘導壁部が室外ファンに面するように配置されている。そのため、室外機ユニット外部の空気は、室外ファンの吸引効果により、吸入口から室外機用電装箱内に流入して電子部品を冷却して排出口から流出する。
また、室外ファンに付着して室外ファンの回転により周囲に飛ばされた水滴等は、誘導壁部およびツバ部に衝突し下方に落下するので、排出口から室外機用電装箱内に浸入することができない。
【００１９】
【発明の実施の形態】
〔第１の実施の形態〕
以下、この発明の第１の実施の形態について図１から図５を参照しながら説明する。
空気調和機１０は、図１に示すように、室内機ユニット２０および室外機ユニット３０から構成されている。これら室内機ユニット２０および室外機ユニット３０は、冷媒が導通する冷媒配管２５や図示しない電気配線などにより接続されている。冷媒配管２５は２本備えられており、冷媒は、一方において室内機ユニット２０から室外機ユニット３０へ、また他方において室外機ユニット３０から室内機ユニット２０へと流れることになる。
【００２０】
室内機ユニット２０は、背面のベース（図示せず）と前面パネル２１とが一体に構成されたものになっている。ベースには、プレートフィンチューブ型の室内熱交換器２２、略円筒形状のクロスフローファン（室内ファン）２３、室内機ユニット２０の動作制御などを行う各種電気回路素子から構成されたコントロール部２４などの各種機器が備えられている。
【００２１】
全面パネル２１には吸込グリル部２１ｂが前面および上面のそれぞれに形成されている．室内の空気は、これら吸込グリル部２１ｂにより多方向から室内機ユニット２０内に吸い込まれるようになっている。ちなみに、吸込グリル部２１ｂの背後にはエアフィルタ２１ｃが備えられており、吸い込まれた空気などの粉塵を取り除く働きをしている。また、前面パネル２１には、その下方に吹出口２１ｄが形成されており、ここから暖められた空気あるいは冷やされた空気が吹き出されるようになっている。なお、この空気吸込みおよび空気吹出しはクロスフローファン２３が回転することによって行われる。
【００２２】
室外機ユニット３０は、図１および図２に示すように、筐体３１内に室外熱交換器３２、プロペラファン（室外ファン）３３、圧縮機３４、電装箱（室外機用電装箱）５０などが備えられている。室外機ユニット３０には、略中央に室外機ユニット３０内の空間を２つに分けるバッフルプレート３５が設けられている。室外機ユニット３０の正面視における左側の空間にはプロペラファン３３が配置され、右側の空間には圧縮機３４が配置されている。圧縮機３４の上方には電装箱５０が配置されるとともに、電装箱５０の左端はバッフルプレート３５を越えてプロペラファン３３が配置されている空間に突出するように配置されている。
【００２３】
室外熱交換器３２は、周囲に多数のコルゲートフィンを備えた冷媒配管により構成されており、冷媒と室外気との熱交換を実現させるものである。プロペラファン３３は、室外機ユニット３０を正面から見て右回りに回転して、筐体３１内に前面から背面へと抜ける風を生じさせることにより、新たな空気を常に筐体３１内に取り込んで、熱交換効率の向上を図るために設けられている。
【００２４】
なお、筐体３１には、室外機ユニット３０の外部の空気を電装箱５０に取り込むための開口部３１ａが設けられている。前記室外熱交換器３２およびプロペラファン３３が外部と向き合う筐体３１面には、それぞれフィンガード３５およびファンガード３６が設けられている。フィンガード３５は前記コルゲートフィンが外部からの不意の衝撃により破損することがないように設けられているものである。ファンガード３６も、これと同様にプロペラファン３３を外部衝撃から保護することを一つの目的とするとともに、外気に含まれる粉塵などを筐体３１内に取り込ませないことを目的として備えられているものである。
【００２５】
圧縮機３４は、低温低圧の気体冷媒を高温高圧の気体冷媒に変換して吐出するものであり、冷媒回路を構成する部品の中では最も中心的な働きを担うものである。ちなみに、冷媒回路とは、この圧縮機３４に加えて、室内熱交換器２２、室外熱交換器３２、冷媒配管２５、膨張弁および冷媒の流れ方向を規定する四方弁（膨張弁および四方弁は図示せず）などから概略構成され、冷媒を室内機ユニット２０と室外機ユニット３０との間で循環させる回路である。
【００２６】
次に本発明の特徴部である電装箱の構成について説明する。
電装箱５０は、図２、図３および図６に示すように、圧縮機３４を駆動制御する電子部品（例えば電解コンデンサＣなど）を実装した基板Ｐを納める板金製の収納箱（下部筐体）５１と、同じく板金製のフタ（上部筐体）５２と、フタ５１および収納箱５２の間に配置され、基板Ｐを支持するプラスチック製の防水筐体（中間筐体）５３とから概略構成されている。
【００２７】
収納箱５１には、その正面視において右側壁面に電装箱５０内に流入する空気の吸入口５４が設けられ、吸入口５４に対向する側壁面には流入した空気の排出口５５が設けられている。
吸入口５４は、吸入口５４の設けられた側壁の略中央よりも室外機ユニット３０の背面側、かつ略中央よりも上方に設けられ、凹形状に形成されている。排出口５５は、横方向寸法が排出口５５の設けられた側壁の横方向寸法と略一致して形成され、かつこの側壁の略中央よりも上方に設けられ、この側壁の高さが低くなっているように形成されている。これら吸入口５４および排出口５５は、収納箱５１および防水筐体５３が係合されると、周囲を部材で囲われた孔の形状となる。
吸入口５４が設けられた側壁の外側には、吸入口５４の下端から斜め下外方向に延在し、室外機ユニット３０の開口部３１ａの下端と係合する傾斜板５６が設けられている。傾斜板５６は、開口部３１ａから電装箱５０に流入する空気を吸入口５４へ誘導するものである。さらに吸入口５４が設けられた側壁に隣接する両側壁には、防水筐体５３と係合する係合孔５７ａが片側に２ヶ所ずつ、合計４ヶ所に設けられている。
【００２８】
防水筐体５３は、図３および図４に示すように、横方向の寸法が収納箱５１よりも長い口字形状の枠体５８と、排出口５５が設けられた側壁に対向するように設けられ、枠体５８から下方へ延在する誘導壁（誘導壁部）５９と、誘導壁５９の下端に設けられた下方ツバ部（ツバ部）６０ａと、誘導壁５９の両側端に設けられた側方ツバ部６０ｂとを備えている。
誘導壁５９は、図６に示すように、防水筐体５３と収納箱５１とを係合させたときに、排出口５５が設けられた側壁と空気が流れるクリアランスを形成するように配置されている。下方ツバ部６０ａは、図５に示すように、同様に収納箱５１の底面と空気が流れるクリアランスを形成するように配置されている。
【００２９】
枠体５８の内周面には、図３、図４および図６に示すように、内方に向かって凸なる段差部６１が形成され、段差部６１の上面は、基板Ｐが配置されるようになっている。
誘導壁５９に対向する段差部６１のうち正面視において右側の段差部６１下面には、リム６２が形成され、リム６２は、上方に向けて誘導壁５９方向に傾斜する傾斜面６２ａを有する逆三角形形状に形成されている。
枠体５８には、収納箱５１の係合孔５７ａと係合するように係合爪５７ｂが、下方に向けて片側に２ヶ所ずつ、合計４ヶ所に設けられている。同様に、フタ５２と係合する係合爪６３ｂが、上方に向けて片側に２ヶ所ずつ、合計４ヶ所に設けられている。
枠体５８の左側には、後述する基板Ｐの冷却フィンＦが電装箱５０外部に突出するためのフィン開口部６４が設けられている。
【００３０】
フタ５１には、防水筐体５３と係合するための係合孔６３ａが片側の側壁に２ヶ所ずつ、合計４ヶ所設けられている。
また、基板Ｐには、図６に示すように、圧縮機３４の運転を制御するための電子部品が実装され、熱を発生する電子部品（例えば、電解コンデンサＣなど）の熱を電装箱５０外部へ放出する放熱板を有した冷却フィンＦが設けられている。
【００３１】
次に、上記の構成からなる空気調和機１０の作用について、暖房運転時および冷房運転時の場合に分けながら説明する。
まず、暖房運転時には、圧縮機３４で高温高圧のせされた気体冷媒は、図１に示すように、冷媒配管２５を通り室内機ユニット２０の室内熱交換器２２に圧送される。室内機ユニット２０内では、クロスフローファン２３により吸込グリル部２１ｂから取り込まれた室内気に対して、室内熱交換器２２を流過する高温高圧の冷媒から熱が与えられる。このことにより、吹出口２１ｄから温風が吹き出されることになる。また同時に、高温高圧の気体冷媒は、室内熱交換器２２において凝縮液化して高温高圧の液冷媒となる。
【００３２】
この高温高圧の液冷媒は、室外機ユニット３０の室外熱交換器３２に送られる途中で、膨張弁により減圧され低温低圧の液冷媒となる。室外機ユニット３０では、プロペラファン３３により筐体３１内に取り込まれた新しい室外気から、室外熱交換器３２を流過する低温低圧の液冷媒が熱を奪うことになる。低温低圧の液冷媒は、熱を奪うことにより蒸発気化して低温低圧の気体冷媒となる。これが再び圧縮機３４に送出され、上記過程を繰り返すことになる。
【００３３】
冷房運転時には、冷媒は上記とは逆方向に冷媒回路中を流れる。すなわち、圧縮機３４で高温高圧とされた気体冷媒が、冷媒配管２５を通過して室外熱交換器３２に圧送され、ここで室外気に熱を奪われて凝縮液化し高温高圧の液冷媒となる。この高温高圧の液冷媒は、膨張弁により減圧されて低温低圧の液冷媒となり、再び冷媒配管２５を通って室内熱交換器２２に送られる。低温低圧の液冷媒は、ここで室内機から熱を奪って吹出口２１ｄから冷風を吹出すとともに、冷媒自身は蒸発気化して低温低圧の気体冷媒となる。これが再び圧縮機３４に送出され、上記過程を繰り返すことになる。
【００３４】
上記の暖房運転、冷房運転のいずれの場合においても、図１、図２および図６に示すように、室外機ユニット３０内ではプロペラファン３３が回転し、室外機ユニット３０の前面から背面へ空気を流している。プロペラファン３３が配置されている筐体３１とバッフルプレート３５で囲われた空間内には、電装箱５０の放熱フィンＦが露出していて、放熱フィンＦの周りにもプロペラファン３３により空気が流れている。放熱フィンＦはこの空気の流れにより熱を奪われ、電解コンデンサＣからの熱を放出する。
プロペラファン３３が配置されている空間内には空気が流れているので、その空間内における空気の圧力は、室外機ユニット３０外側周りの空気の圧力よりも低くなる。この圧力の差により、室外機ユニット３０外側の空気は、開口部３１ａから吸入口５４を経て電装箱５０内に流入され、排出口５５から流出される。
【００３５】
吸入口５４から電装箱５０内に流入された空気は、図６および図７に示すように、電装箱５０内を一様に広がりながら吸入口５４に対向した排出口５５に向かって流れる。排出口５５に向かって流れる空気は、電装箱５０内に収められた電解コンデンサＣ等の電子部品から熱を奪って冷却し、排出口５５に流入する。排出口５５に流入した空気は、誘導壁５９により、流れる方向を下向きに変えられ誘導壁５９と収納箱５１との間の空間を下方に流れる。下方に流れた空気は、下方ツバ部６０ａにより流れの向きを変えられ、下方ツバ部６０ａと収納箱５１との間の空間を排出口５５から吸入口５４に向かう方向に流れ、プロペラファン３３が配置された空間に流出する。
【００３６】
また、プロペラファン３３に水滴が付着した状態（例えば、雨天時）で、空気調和機１０が運転されプロペラファン３３が回転すると、図６に示すように、プロペラファン３３に付着した水滴は、遠心力によりプロペラファン３３の半径方向外側からプロペラファン３３の回転方向に傾いた方向に飛ばされる。
遠心力により飛ばされた水滴の一部は、プロペラファン３３の斜め右上方に位置する電装箱５０の誘導壁５９に衝突し、誘導壁５９をつたって下方へ落下する。
【００３７】
次に、上記構成の電装箱５０の組立てについて説明する。
まず、収納箱５１と防水筐体５３とを係合させる。図３および図４に示すように、収納箱５１を略下方から防水筐体５３に近づけると、下方ツバ部６０ａが干渉して係合できないので、正面視において、斜め右下方から防水筐体５３に近づける。収納箱５１と防水筐体５３とが近づき、収納箱５１の下面が下方ツバ部６０ａの上方にまで移動したら、収納箱５１を略下方から防水筐体５３に近づける。
【００３８】
収納箱５１の側壁上端が枠体５８の内周に入り込むと、吸入口５４が設けられた側壁が、リム６２の傾斜面６２ａに当接する。この状態でさらに収納箱５１と防水筐体５３とを近づけると、収納箱５１は、傾斜面６２ａに沿って誘導壁５９側へ移動しながら防水筐体５３に接近する。最終的には、収納箱５１の係合孔５７ａと防水筐体５３の係合爪５７ｂとが係合して、収納箱５１と防水筐体５３との係合が完了する。
【００３９】
収納箱５１と防水筐体５３とが係合されると、図３、図４および図６に示すように、電解コンデンサＣや冷却フィンＦを備えた基板Ｐが、防水筐体５３の段差部６１上に、冷却フィンＦがフィン開口部６４に挿通するように配置される。基板Ｐが配置されると、略上方からフタ５２が防水筐体５３に近づけられ、フタ５２の係合孔６３ａと防水筐体５３の係合爪６３ｂとが係合されてフタ５２と防水筐体５３とが係合される。
【００４０】
上記の構成によれば、吸入口５４に対向した側壁に排出口５５を設け、排出口５５の横方向寸法を排出口５５が設けられた側壁の横方向寸法と略一致させて形成しているので、電装箱５１に流入した空気は、排出口５５にいたるまで電装箱５１内をよどみなく一様に流れ電解コンデンサＣからムラなく熱を奪うことができる。
また、電装箱５１内の空気流れが一様になるので、従来のように回路設計に際して、特に上述したコンデンサ等の大型電子部品を配置する位置を電装箱内の空気流生成箇所にあわせる必要はなく、電子部品を自由に配置しても同様な冷却効果が得られる。その結果、冷却という観点からの制約を大きく受けることなく電子部品の配置設計をコンパクトなものにすることができるので、電装箱５１を小型化することができ、ひいては室外機ユニット３０を小型化することもできる。
【００４１】
排出口５５の外側に、排出口５５に対向する誘導壁５９が設けられ、誘導壁５９の下端には、収納箱５１の底面の下方に回りこむように下方ツバ部６０ａがもうけられているので、水滴が排出口５５から電装箱５０内に浸入するのを防ぐことができる。また、排出口５５から流出する空気の流れと水滴の浸入方向とは逆方向になるので、水滴は押し戻されさらに電装箱５０内に浸入しにくくなる。
【００４２】
また、プロペラファン３３の回転により飛ばされた水滴の一部が電装箱５０にかかるが、水滴がかかる部分は誘導壁５９、下部ツバ部６０ａ、側方ツバ部６０ｂ等のプラスチック製部品である防水筐体５３である。そのため、例えば板金部品のように合わせ面から水分が内部に浸入することを防ぐことができ、防水性能を向上させることができる。
【００４３】
防水筐体５１をプラスチックで形成することにより、板金で製作するよりも寸法精度が良くなり、基板Ｐをより確実に保持することができるようになった。また、プラスチックは電気を通さないため、電子部品との間に絶縁距離をとる必要がなく、電装箱５０をよりコンパクトにすることができる。
【００４４】
収納箱５１とフタ５２とを伝熱性のよい板金で形成することにより、内部の電子部品で発生した熱により暖められた周囲の空気の熱を、電装箱５０の外側に逃がし、冷却することができる。
【００４５】
〔第２の実施の形態〕
次に、この発明の第２の実施の形態について図８および図９を参照しながら説明する。本発明の第２の実施の形態は、第１の実施の形態と同様であるが、第１の実施の形態とは電装箱の形状が異なっているため、本実施の形態においては、図８および図９を用いて電装箱周辺のみを説明し、室外機ユニット等の説明を省略する。
【００４６】
電装箱９０は、図８に示すように、圧縮機３４を駆動制御する電子部品（例えば電解コンデンサＣなど）を実装した基板Ｐを納める板金製の収納箱（下部筐体）９１と、同じく板金製のフタ５２と、フタ５１および収納箱５２の間に配置され、基板Ｐを支持するプラスチック製の防水筐体５３とから概略構成されている。
収納箱５１には、図８に示すように、吸入口５４が設けられた側壁に隣接した側壁に、スリット９２が設けられている。
【００４７】
次に、上記の構成からなる電装箱９０における作用について説明する。
吸入口５４から電装箱９０内に流入された空気は、図９に示すように、電装箱９０内を一様に広がりながら吸入口５４に対向した排出口５５とスリット９２とに向かって流れる。排出口５５とスリット９２とに向かって流れる空気は、電装箱９０内に収められた電解コンデンサＣ等の電子部品から熱を奪って冷却し、排出口５５に流入する。排出口５５に流入した空気は、誘導壁５９と収納箱５１との間の空間を下方に流れ、下方ツバ部６０ａと収納箱５１との間の空間を排出口５５から吸入口５４に向かう方向に流出する。
【００４８】
上記の構成によれば、吸入口５４に隣接した側壁にスリット９２が設けられたので、電装箱５０から流出する空気の流れが２つに分かれた。空気の流れが２つに分かれたので、電子部品に当たる空気の流れが変わり、例えば図９に示すような配置にしても全ての電子部品に同じように空気が流れ冷却される。つまり、電子部品の配置の自由度がさらに増し、コンパクトに配置することができる。
【００４９】
【発明の効果】
以上説明したように、請求項１に係る発明によれば、電装部品冷却用の空気の吸入口に対向した壁部に冷却用空気の排出口を設けているので、室外機用電装箱内の電子部品から一様に熱を奪い排出口から流出する。つまり、室外機用電装箱内の電子部品をムラなく冷却することができるという効果を奏する。
【００５０】
請求項２に係る発明によれば、上記排出口が、排出口の設けられた壁部の幅方向全体にわたって形成されているので、室外機用電装箱内の電子部品から一様に熱を奪える範囲が空気流れ下流方向に広がり、室外機用電装箱内の電子部品をムラなく冷却できる範囲が広がるという効果を奏する。
【００５１】
請求項３に係る発明によれば、排出口の外側に、排出口に対向する面に誘導壁部が設けられるとともに、誘導壁部の下端にはツバ部が設けられているため、水滴等が外部から排出口を通って室外機電装箱内に浸入し難くなり、室外機電装箱内の防水性を向上させることができる。
【００５２】
請求項４に係る発明によれば、楔形状のガイド部が設けられているので、下部筐体と中間筐体とを容易に正しい係合位置関係で係合させることができる。そのため、下部筐体と中間筐体との位置関係のズレによる水の浸入を防ぐことができ、防水性を向上させることができる。
【００５３】
請求項５および６に係る発明によれば、請求項１から４のいずれかに記載の室外機用電装箱を備え、室外機用電装箱の吸入口が室外機ユニットの外部と連通し、誘導壁部が室外ファンに面するように配置されているため、吸入口から室外機ユニット外の空気を流入させ、電子部品をムラなく冷却することができる。排出口から流出する。また、室外ファンの回転により周囲に飛ばされた水滴等を室外機用電装箱内部に浸入するのを防ぐことができる。
【図面の簡単な説明】
【図１】本発明による空気調和機の第１の実施の形態を示す斜視図である。
【図２】本発明による室外機ユニットの第１の実施の形態を示す斜視図である。
【図３】本発明による電装箱の第１の実施の形態を示す分解斜視図である。
【図４】本発明による電装箱の第１の実施の形態を示す分解斜視図である。
【図５】本発明による電装箱の第１の実施の形態を示す斜視図である。
【図６】本発明による電装箱の第１の実施の形態を示す部分断面図である。
【図７】本発明による電装箱の第１の実施の形態を示す部分断面図である。
【図８】本発明による電装箱の第２の実施の形態を示す分解斜視図である。
【図９】本発明による電装箱の第２の実施の形態を示す部分断面図である。
【符号の説明】
１０  空気調和機
２２  室内熱交換器
２３  クロスフローファン（室内ファン）
３０  室外機ユニット
３２  室外熱交換器
３３  プロペラファン（室外ファン）
３４  圧縮機
５０  電装箱（室外機用電装箱）
５１、９０  収納箱（下部筐体）
５２  フタ（上部筐体）
５３  防水筐体（中間筐体）
５４  吸入口
５５  排出口
５９  誘導壁（誘導壁部）
６０ａ  下部ツバ部（ツバ部）
６２ａ  傾斜面
【図１】
2004301477.tif 000003
【図２】
2004301477.tif 000004
【図３】
2004301477.tif 000005
【図４】
2004301477.tif 000006
【図５】
2004301477.tif 000007
【図６】
2004301477.tif 000008
【図７】
2004301477.tif 000009
【図８】
2004301477.tif 000010
【図９】
2004301477.tif 000011